(57)【要約】  【課題】  電線端末の端子をランスと係止解除して取り出す時に、ランスの過度の撓みを抑制する。  【解決手段】端子収容空間内に一端開口から一対の仕切壁１２、１３を設けて一対の端子収容室２０、２１に区画し、これら一対の仕切壁１２、１３の先端に端子２５Ａ、２５Ｂの係止部と係止するランスを設け、収容室１１を囲む周壁１１ｃ内面にヒューズ挿入口１１ｂから係止解除治具Ｘのガイド溝１７を設け、係止解除治具Ｘを該ガイド溝１７に挿入し、係止解除治具Ｘの挿入方向および挿入量を規制することで、ランス１４、１５を端子２５Ａ、２５Ｂと係止解除できるだけ撓ませる。  【選択図】図１
2007066848.tif 000002
【特許請求の範囲】
【請求項１】
ハウジングの一端側の端子挿入口から端子収容空間に一対の電線端末の端子が挿入される一方、他端側のヒューズ挿入口からヒューズ収容空間にヒューズが装着され、該ヒューズの入力端子と出力端子がそれぞれ前記電線端末の端子と嵌合接続されるヒューズ接続箱であって、
前記端子挿入口側から端子収容空間に一対の仕切壁を空隙をあけて設け、これら仕切壁と前記ハウジングとに囲まれた一対の端子収容室を設けると共に前記一対の仕切壁に前記端子の係止部と係止するランスを設けている一方、
前記ヒューズ収容空間を囲む周壁内面に前記ヒューズ挿入口側の先端から前記ランスの位置まで係止解除治具のガイド溝を設け、
前記ガイド溝に挿入された係止解除治具の先端が前記ランスの先端に当接してランスを端子と係止解除できるだけ撓ませることができる構成としているヒューズ接続箱。
【請求項２】
前記ヒューズ収容空間に収容するヒューズは、矩形状のヒューズ本体の左右両側の切欠に入力端子と出力端子とが平行に露出するヒューズとし、該ヒューズ収容空間の高さを前記ヒューズ本体を内嵌できる設定としている請求項１に記載のヒューズ接続箱。
【発明の詳細な説明】
【技術分野】
【０００１】
本発明は、ヒューズ接続箱に関し、詳しくは、一方側からヒューズが着脱自在に挿入されると共に他方側から自動車に配索される電線端末の端子が挿入係止され、該端子とヒューズの入出力端子とを接続させるヒューズ接続箱であって、特に、ヒューズとして樹脂製のヒューズ本体の両側切欠に入出力端子が露出する略四角形状の高さの低いヒューズを収容する場合に好適に用いられるものである。
【背景技術】
【０００２】
この種のヒューズ接続箱として、特開２００４−１５８２５６号公報（特許文献１）が提案されている。該ヒューズ接続箱は、図７および図８に示すように、ヒューズ接続箱１の一対の端子収容室２内に夫々一端開口から一対の電線ｗの端末に圧着接続された一対の雌端子３を挿入し、これら端子３に設けられた係止段部３ａに対して、収容室２内に突設した一対のランス４の自由端側に設けた係止部４ａを係止している。ヒューズ接続箱１の一対の端子収容室２の先端側に連通する空間はヒューズ収容室５とされ、ヒューズ６が着脱自在に挿入され、該ヒューズ６の両側の入力端子６ａと出力端子６ｂが前記一対の端子３と嵌合接続されている。
また、前記端子３をヒューズ接続箱１から取り外す際には、外部から抜き治具をランス４の自由端側から挿入し、係止部４ａを撓ませて係止段部３ａとの係止を解いている。其の際、ランス４が過度に撓むことを防止するため、一対のランス４の間に当接部材７を設置している。
【０００３】
【特許文献１】特開２００４−１５８２５６号公報
【発明の開示】
【発明が解決しようとする課題】
【０００４】
しかしながら、前記特許文献１の構成では、ヒューズ接続箱１に抜き治具の挿入方向を規制するガイド部がないため、抜き治具の挿入方向および挿入量が定まらず、抜き治具に必要以上の力をかけてしまい、ランスを過度に撓ませ、ランスを破壊してしまう恐れがあった。さらに、ランスの挿入方向および挿入量が定まっていないため、ランスを係止解除するだけ撓ませる作業が難しく、端子の係止解除作業は作業者にとって負担となっていた。
【０００５】
本発明は、前記問題に鑑みてなされたものであり、抜き治具の挿入方向および挿入量を規制し、ランスの過大変位を防止することでランスを破損させることなく、ランスを端子と係止解除できるだけ撓ませて端子の離脱作業を行う共に、係止解除作業を容易にし、作業者の負担を軽減することを課題としている。
【課題を解決するための手段】
【０００６】
前記問題を解決するため、本発明では、ハウジングの一端側の端子挿入口から端子収容空間に一対の電線端末の端子が挿入される一方、他端側のヒューズ挿入口からヒューズ収容空間にヒューズが装着され、該ヒューズの入力端子と出力端子がそれぞれ前記電線端末の端子と嵌合接続されるヒューズ接続箱であって、
前記端子挿入口側から端子収容空間に一対の仕切壁を空隙をあけて設け、これら仕切壁と前記ハウジングとに囲まれた一対の端子収容室を設けると共に前記一対の仕切壁の先端に前記端子の係止部と係止するランスを設けている一方、
前記ヒューズ収容空間を囲む周壁内面に前記ヒューズ挿入口側の先端から前記ランスの位置まで係止解除治具のガイド溝を設け、
前記ガイド溝に挿入された係止解除治具の先端が前記ランスの先端に当接してランスを端子と係止解除できるだけ撓ませることができる構成としているヒューズ接続箱を提供している。
【０００７】
本発明では、前記構成として、端子とランスの係止を解除する際に、係止解除治具をガイド溝に沿って挿入させることで、係止解除治具の挿入方向を規制し、かつ、過度に挿入されることを抑制して挿入量も規定している。
よって、前記ガイド溝に沿って挿入した係止解除治具は、端子の係止部とランスとの係止部に接触した際に、係止を解除出来る程度にランスを撓ませるように規制しているため、ランスが過度に撓んでランスに損傷が発生するのを抑制することができる。
また、係止解除治具はガイド溝に沿って挿入すれば係止解除方向となるため、解除作業性を高めることができる。
さらに、仕切壁にランスを一体成形したことにより、ヒューズ接続箱の小型化にも寄与する。
【０００８】
前記ヒューズ収容空間に収容するヒューズは、矩形状のヒューズ本体の左右両側の切欠に入力端子と出力端子とが平行に露出するヒューズとし、該ヒューズ収容空間の高さを前記ヒューズ本体を内嵌できる設定としてもよい。
前記したヒューズは、ヒューズ本体から入力端子と出力端子とを突出させていないため、ヒューズ自体の高さを低くでき、その結果、ヒューズ接続箱自体も小型化および軽量化することができる。
【発明の効果】
【０００９】
前述したように、本発明によれば、係止解除治具をガイド溝に挿入することで係止解除治具の挿入方向が規制されるので、ランスを端子と係止解除できるだけ、常に一定量撓ませることができ、過度にランスを撓ませて破損させることを防止できる。
【発明を実施するための最良の形態】
【００１０】
本発明の実施形態を図面を参照して説明する。
図１乃至図６は本発明の第１実施形態を示す。
図１に示すように、ヒューズ接続箱１０は１つのヒューズ３０を一対の電線Ｗ（Ｗ１、Ｗ２）と接続させるもので、四角筒形状の収容室１１の一端開口を電線端末に圧着された端子金具（以下、端子と称す）２５Ａ、２５Ｂの端子挿入口１１ａ、他端開口をヒューズ挿入口１１ｂとしている。
【００１１】
収容室１１内は端子挿入口１１ａ側の端子収容空間を一対の仕切壁１２、１３で仕切って一対の端子収容室２０、２１と仕切壁１２と１３に挟まれた貫通空間２２を設けていると共に、ヒューズ挿入口１１ｂ側は一対の端子収容室２０、２１に連通する１つのヒューズ収容空間２３としている。
【００１２】
図２に示すように、前記仕切壁１２と１３の略中央位置より、ヒューズ挿入口１１ｂへ向けて切り込まれた２本のスリット１２ａと１３ａにより弾性力を持つランス１４、１５をそれぞれ形成し、前記ランス１４、１５は、先端側に円弧状の当接面１４ａ  １５ａを備えると共に、当接面１４ａ、１５ａの下端に段状に突出した係止面１４ｂ、１５ｂを備えている。前記ランス１４、１５の先端側は自由端とし、スリット１２ａと１３ａの根元側は固定端とし、ランス１４、１５は撓み可能である。
【００１３】
前記仕切壁１２、１３と収容室１１の周壁１１ｃに囲繞される一対の端子収容室２０、２１には、端子挿入口１１ａ側からそれぞれ電線Ｗ１、Ｗ２の端末に圧着された端子２５Ａ、２５Ｂが挿入される。これら端子２５Ａ、２５Ｂに形成された係止部２５Ａ−１、２５Ｂ−１に前記ランス１４、１５の係止面１４ｂ、１５ｂが係止して、端子２５Ａ、２５Ｂを端子収容室２０、２１内に係止保持している。
【００１４】
前記ランス１４、１５の係止面１４ｂ、１５ｂより上部側のヒューズ収容空間２３は、ヒューズ３０を着脱自在に挿入する大きさに設定している。該ヒューズ３０は特許文献１と同様なヒューズからなり、樹脂製のヒューズ本体３１の左右両側に切欠３１ａ、３１ｂから入力端子３２と出力端子３３とが平行に露出し、大略矩形状で高さの低いヒューズ（所謂、低背ヒューズ）である。該ヒューズ収容空間２３の上端内面にはヒューズ本体３１の上端面を係止する段部２３ａを設けている。
【００１５】
前記収容室１１を囲む周壁１１ｃ内面には、係止解除治具の挿入をガイドするガイド溝１７がヒューズ挿入口１１ｂから前記ランス１４、１５の位置まで形成され、該ランス１４、１５の当接面１４ａ、１５ａの先端がガイド溝１７の終端部１７ａとなっている。
前記ガイド溝１７は、図３に示すように、断面四角形状で、一対の対向する周壁１１ｃに設けて、合計４つ設けられている。
【００１６】
前記仕切壁１２と１３に挟まれた貫通空間２２には、前記ランス１４と１５の根元部分に当たる位置に撓み抑制部材１６を設けている。該撓み抑制部材１６は、図３に示すように、収容室１１の対向する周壁１１ｃの間に梁状に架け渡している。
【００１７】
前記構成からなるヒューズ接続箱において、図４に示すように、端子収容室２０、２１に端子２５Ａ、２５Ｂを挿入し、ランス１４、１５と係止して保持させた状態で、ヒューズ収容空間２３内にヒューズ挿入口１１ｂからヒューズ３０を挿入すると、ヒューズ３０の入力端子３２と出力端子３３とが電線端末の端子２５Ａ、２５Ｂと嵌合して電気接続がなされる。
【００１８】
一方、前記端子２５Ａ、２５Ｂをヒューズ接続箱１０から取り外す必要が発生した場合、まず、ヒューズ３０をヒューズ挿入口１１ｂから抜き出す。
ついで、図５に示すように、ヒューズ挿入口１１ｂから係止解除治具Ｘを挿入する。
係止解除治具Ｘは、図６（Ａ）（Ｂ）に示すように、断面Ｔ字形状で、両側部Ｘ−１および中央部Ｘ−２からなり、中央部先端が傾斜部Ｘ−３となっている。よって、係止解除治具Ｘの両側部Ｘ−１をガイド溝１７に摺接しながら挿入し、係止解除治具Ｘが一定量挿入されると、係止解除治具Ｘの傾斜部Ｘ−３がランス１４、１５の先端の当接面１４ａ、１５ａに当接して停止する。この時、傾斜部Ｘ−３でランスを押すと係止側と反対方向に撓み、ランス１４、１５と端子２５Ａ、２５Ｂの係止が解除される。よって、端子２５Ａ、２５Ｂを端子挿入口１１ａから抜き出すことができる。
【００１９】
このように、本発明では、ガイド溝１７を設けているため、係止解除治具Ｘの両側部Ｘ−１がガイド溝１７に挿入されることで、係止解除治具Ｘの挿入方向が規制され、両側部Ｘ−１がガイド溝１７の終端部１７ａで停止されるため挿入量も規定されることにより、係止解除治具Ｘの斜め挿入が防止できる。この停止位置が係止解除位置となり、該停止位置で係止解除側に若干押してランス１４、１５を撓ませると端子２５Ａ、２５Ｂと係止解除できる。其の際、仮に、ランスを撓ませすぎても、ランス１４、１５の根元位置には撓み抑制部材１６が位置して過度の撓みを停止する。
その結果、確実にランス１４、１５の過度の撓みを防止してランスの破損を防止し、端子２５Ａ、２５Ｂを離脱させることができる。
【００２０】
また、係止解除治具Ｘをガイド溝１７に沿って挿入すればよいため、解除作業性が良くなり、作業者の負担も軽減することができる。
さらにまた、電線端末に接続するヒューズ３０を高さの低いヒューズ３０とすることで、ヒューズ接続箱１０自体も小型化できることにより、軽量化を図れると共にコストダウンにもつながる。
【図面の簡単な説明】
【００２１】
【図１】本発明の第１実施形態を示す図であり、図２のＡ−Ａ線での断面図である。
【図２】図１の矢印方向からみたスリットの要部拡大断面図である。
【図３】本発明の第１実施形態を示す平面図である。
【図４】第１実施形態のヒューズ接続箱にヒューズおよび電線端末を挿入して接続した状態を示す断面図である。
【図５】前記電線端末の端子をヒューズ接続箱のランスとの係止解除作用を示す断面図である。
【図６】（Ａ）は本実施形態で用いる係止解除治具の斜視図であり、（Ｂ）は（Ａ）の要部拡大図である。
【図７】従来例のヒューズボックスの斜視図である。
【図８】（Ａ）は図６の従来例のヒューズボックスの断面図、（Ｂ）は底面図である。
【符号の説明】
【００２２】
１１  収容室
１１ａ  端子挿入口
１１ｂ  ヒューズ挿入口
１２、１３  仕切壁
１２ａ  スリット
１４、１５  ランス
１４ａ、１５ａ  当接面
１４ｂ、１５ｂ  係止面
１６  撓み抑制部材
１７  ガイド溝
１７ａ  終端部
２０、２１  端子収容室
２２  貫通空間
２３  ヒューズ収容空間
２５Ａ、２５Ｂ  端子
２５Ａ−１、２５Ｂ−１  係止部
３０  ヒューズ
３１  ヒューズ本体
３１ａ、３１ｂ  切欠
３２  入力端子
３３  出力端子
Ｗ１、Ｗ２  電線
Ｘ  係止解除治具
Ｘ−１  両側部
Ｘ−２  中央部
Ｘ−３  傾斜部
【図１】
2007066848.tif 000003
【図２】
2007066848.tif 000004
【図３】
2007066848.tif 000005
【図４】
2007066848.tif 000006
【図５】
2007066848.tif 000007
【図６】
2007066848.tif 000008
【図７】
2007066848.tif 000009
【図８】
2007066848.tif 000010